(57)【要約】【課題】低電圧の電池の電気的パラメータについての測定を迅速に開始し、しかも短時間で測定し得る電池特性測定装置を提供する。【解決手段】電流供給用プローブ３に対して直流的に接続可能に構成されると共に電流供給用プローブ３を介して電池４１に交流定電流を供給する交流定電流源２と、電圧検出用プローブ５，６に対して直流的に接続可能に構成されると共に電圧検出用プローブ５，６を介して電池５１の電圧を入力するバッファ１０，１１と、バッファ１０，１１から出力される信号の直流成分を除去するフィルタ１２，１３と、フィルタ１２，１３を通過した信号の交流電圧および電池４１を流れる交流電流Ｉｔに基づいて電池４１の電気的パラメータを測定する制御部１９（測定部）とを備えている。【選択図】図１
2006071306.tif 000002
【特許請求の範囲】
【請求項１】
電流供給部に対して直流的に接続可能に構成されると共に当該電流供給部を介して測定対象の電池に交流定電流を供給する交流定電流源と、
電圧検出部に対して直流的に接続可能に構成されると共に当該電圧検出部を介して前記電池の電圧を入力するバッファと、
前記バッファから出力される信号の直流成分を除去するフィルタと、
前記フィルタを通過した信号の交流電圧および前記電池を流れる前記交流定電流に基づいて当該電池の電気的パラメータを測定する測定部とを備えている電池特性測定装置。
【請求項２】
前記電流供給部および前記交流定電流源の間に接続される第１のコンデンサと、
前記電圧検出部および前記バッファの間に接続される第２のコンデンサと、
前記第１のコンデンサを短絡する第１のスイッチと、
前記第２のコンデンサを短絡する第２のスイッチとを備えている請求項１記載の電池特性測定装置。
【請求項３】
前記電流供給部を介して電圧を検出する第１の電圧検出部と、
前記電圧検出部を介して電圧を検出する第２の電圧検出部と、
前記第１の電圧検出部によって検出された前記電圧に基づいて前記第１のスイッチを制御して前記第１のコンデンサを短絡させると共に前記第２の電圧検出部によって検出された前記電圧に基づいて前記第２のスイッチを制御して前記第２のコンデンサを短絡させる制御部とを備えている請求項２記載の電池特性測定装置。
【請求項４】
前記測定部は、前記フィルタを通過した信号の前記交流電圧および前記電池を流れる前記交流定電流に基づいて当該電池の実効抵抗を前記電気的パラメータとして測定すると共に、前記第１および第２の電圧検出部のいずれかによって検出された電圧を前記電池の電池電圧として測定する請求項３記載の電池特性測定装置。
【発明の詳細な説明】
【技術分野】
【０００１】
本発明は、電池の電気的パラメータを測定する電池特性測定装置に関するものである。
【背景技術】
【０００２】
この種の電池特性測定装置として、実用新案登録第３００３６５９号公報に開示されたインピーダンス測定装置が知られている。このインピーダンス測定装置は、トランスと共に交流電源を構成する交流電圧発生器と、内部起電力を有するバッテリー等の測定対象物を流れる交流電流および測定対象物に発生する交流電圧に基づいて測定対象物のインピーダンスを測定するインピーダンス測定回路と、測定対象物の内部起電力（直流電圧）を検出してこの検出した直流電圧と逆極性の補正直流電圧を交流電圧に加算する電圧補正回路とを備えて、測定対象物から直流の放電電流を流れ出させることなくインピーダンスを測定可能に構成されている。このインピーダンス測定装置では、交流電圧発生器がトランスを介して測定対象物に交流電圧を出力する際に、電圧補正回路がこの交流電圧に補正直流電圧を加算する。したがって、このインピーダンス測定装置によれば、測定対象物の内部起電力と等しい直流電圧が重畳された交流電圧を測定対象物に出力しつつ、測定対象物のインピーダンスを測定することができるため、測定対象物からトランス（交流電源）に放電電流が流れることに起因して、測定されるインピーダンスが不安定になるという問題を回避することができる結果、インピーダンスを正確に測定することが可能となっている。
【０００３】
ところが、上記したインピーダンス測定装置には、高い電圧のバッテリーを接続したときに、インピーダンス測定回路や電圧補正回路が破壊されるおそれがあるという問題点が存在する。また、このインピーダンス測定装置には、インピーダンス測定回路が直流電圧に交流電圧が重畳された電圧を検出してこの検出した電圧のうちの交流電圧に相当する交流成分に基づいてインピーダンスを測定するため、交流成分が微少電圧のときには、検出した電圧に含まれている交流成分が相対的に小さくなって交流成分の検出精度が悪化することに起因して、インピーダンスを精度良く測定することが難しいという問題点がある。そこで、バッテリー（電池）から交流電源に放電電流を流れ出させることなく、高い電圧の電池を接続したとしても装置が破壊されずに、しかも、精度良く電池特性を測定可能な電池特性測定装置として、出願人は、図３に示す電池特性測定装置１０１を開発している。この電池特性測定装置１０１は、電流供給用のプローブ３，４、電圧検出用のプローブ５，６、Ｉ／Ｖ変換器７、フィルタ８，９、差動増幅部１４、Ａ／Ｄ変換器１５，１６、交流定電圧源１０２、制御部１０３およびコンデンサＣ１を備えて構成されている。
【０００４】
この電池特性測定装置１０１では、交流定電圧源１０２が、コンデンサＣ１およびプローブ３を介して例えば１ｋＨｚの周波数の検査用交流電圧（交流信号）を測定対象の電池４１に出力することにより、交流電流Ｉｔを電池４１に供給する。Ｉ／Ｖ変換器７は、演算増幅器２１および抵抗Ｒ３を備えて構成されて、入力した交流電流Ｉｔを電流／電圧変換して交流電圧Ｖｉを出力する。コンデンサＣ１は、プローブ３と交流定電圧源１０２との間に接続されて、電池４１の直流電圧の交流定電圧源１０２への出力を防止する。
【０００５】
フィルタ８は、コンデンサＣ１０１および抵抗Ｒ１０１を用いてＣＲ型のフィルタに構成されて、電池４１の一方の電極に発生している電圧をプローブ５を介して入力すると共に、直流成分を除去して交流成分（検査用の交流電圧の周波数成分）を出力する。同様にして、フィルタ９は、コンデンサＣ１０２および抵抗Ｒ１０２を用いてＣＲ型のフィルタに構成されて、電池４１の他方の電極に発生している電圧をプローブ６を介して入力すると共に、直流成分を除去して交流成分（検査用の交流電圧の周波数成分）を出力する。また、各抵抗Ｒ１０１，Ｒ１０２は、電池４１とプローブ５，６との間の接触抵抗が測定値に与える影響を無視できるように、この接触抵抗よりも十分に大きな例えば１００ｋΩ以上（一例として１００ｋΩ）の高い抵抗値に規定されている。一方、コンデンサＣ１０１，Ｃ１０２は、フィルタ８，９が交流成分を通過可能な例えば２．２ｎＦの容量値に規定されている。
【０００６】
差動増幅部１４は、フィルタ８，９から出力された各交流成分を入力して差動増幅する。これにより、差動増幅部１４は、検査用交流電圧の出力によって交流電流Ｉｔが電池４１に流れることに起因して電池４１の各電極間に発生する交流電圧（端子間電圧Ｖｂの交流成分）に比例する交流電圧Ｖａを出力する。Ａ／Ｄ変換器１５は、差動増幅部１４から出力された交流電圧Ｖａを所定のサンプリング周期でサンプリングすると共にアナログ／ディジタル変換（Ａ／Ｄ変換）して電圧データＤｖを出力する。Ａ／Ｄ変換器１６は、Ｉ／Ｖ変換器７から出力された交流電圧Ｖｉを所定のサンプリング周期でＡ／Ｄ変換して電流データＤｉを出力する。制御部１０３は、電圧データＤｖおよび電流データＤｉに基づいて電池４１の実効抵抗を算出する。
【０００７】
この電池特性測定装置１０１では、プローブ３と交流定電圧源１０２との間に接続されたコンデンサＣ１が、電池４１の電圧の交流定電圧源１０２への出力を防止し、各プローブ５，６と差動増幅部１４との間にそれぞれ接続されたコンデンサＣ１０１，Ｃ１０２が、電池４１の電圧の差動増幅部１４への出力を防止する。したがって、電池４１の電圧（直流電圧）が高いときであっても、交流定電圧源１０２および差動増幅部１４の電圧破壊を防止することが可能となっている。また、コンデンサＣ１０１，Ｃ１０２（フィルタ８，９）が、電池４１に発生する交流電圧のみを差動増幅部１４に通過させる。したがって、電池４１の実効抵抗が精度良く算出される。
【特許文献１】実用新案登録第３００３６５９号公報（第４−６頁、第１図）
【発明の開示】
【発明が解決しようとする課題】
【０００８】
ところが、上記した電池特性測定装置１０１には、以下のような解決すべき課題がある。すなわち、この電池特性測定装置１０１では、高い電圧の電池４１を測定対象とするときの交流定電圧源１０２の破壊や差動増幅部１４の破壊を防止するために、コンデンサＣ１，Ｃ１０１，Ｃ１０２が配設されている。このため、この電池特性測定装置１０１では、電池４１をセットした際に、コンデンサＣ１，Ｃ１０１，Ｃ１０２が電池４１の直流電位まで充電されている。したがって、コンデンサＣ１，Ｃ１０１，Ｃ１０２の各端子の電位が安定するまでの間において電池４１の実効抵抗についての正確な算出が困難なため、コンデンサＣ１，Ｃ１０１，Ｃ１０２が充電されるまで測定を待たなければならないという課題がある。
【０００９】
この課題を解決するために、各コンデンサＣ１，Ｃ１０１，Ｃ１０２の容量を小さくして、電池４１のセットから測定開始までの時間を短縮することも考えられる。しかしながら、この電池特性測定装置１０１では、電池４１とプローブ５，６との間の接触抵抗が測定値に与える影響を無視し得るように抵抗Ｒ１０１，Ｒ１０２の抵抗値を大きくしているため、例えば、各コンデンサＣ１０１，Ｃ１０２の容量を小さくしたときには、各コンデンサＣ１０１，Ｃ１０２の各インピーダンスが大きくなるため、抵抗Ｒ１０１，Ｒ１０２で発生する熱雑音のうちの信号に重畳されるレベルが一層大きくなる。したがって、電池４１の実効抵抗を安定して正確に算出するためには、電圧データＤｖおよび電流データＤｉに基づいて制御部１０３によって行われる平均化処理において、より多くの電圧データＤｖおよび電流データＤｉについてのデータを入力して平均化せざるを得ないため（言い換えれば、積分時間を長くせざるを得ないため）、この構成には、電池４１の実効抵抗の算出に時間が掛かるという新たな解決すべき課題が生じる。
【００１０】
本発明は、かかる課題に鑑みてなされたものであり、低電圧の電池の電気的パラメータについての測定を迅速に開始し、しかも短時間で測定し得る電池特性測定装置を提供することを他の主目的とする。
【課題を解決するための手段】
【００１１】
上記目的を達成すべく請求項１記載の電池特性測定装置は、電流供給部に対して直流的に接続可能に構成されると共に当該電流供給部を介して測定対象の電池に交流定電流を供給する交流定電流源と、電圧検出部に対して直流的に接続可能に構成されると共に当該電圧検出部を介して前記電池の電圧を入力するバッファと、前記バッファから出力される信号の直流成分を除去するフィルタと、前記フィルタを通過した信号の交流電圧および前記電池を流れる前記交流定電流に基づいて当該電池の電気的パラメータを測定する測定部とを備えている。この場合、本発明における「電流供給部」には、電流供給用のプローブが含まれるだけでなく、電流を供給可能な線材等の各種供給手段が含まれる。また、「電圧検出部」には、電圧検出用のプローブが含まれるだけでなく、電圧を検出可能な線材等の各種検出手段が含まれる。
【００１２】
また、請求項２記載の電池特性測定装置は、請求項１記載の電池特性測定装置において、前記電流供給部および前記交流定電流源の間に接続される第１のコンデンサと、前記電圧検出部および前記バッファの間に接続される第２のコンデンサと、前記第１のコンデンサを短絡する第１のスイッチと、前記第２のコンデンサを短絡する第２のスイッチとを備えている。
【００１３】
また、請求項３記載の電池特性測定装置は、請求項２記載の電池特性測定装置において、前記電流供給部を介して電圧を検出する第１の電圧検出部と、前記電圧検出部を介して電圧を検出する第２の電圧検出部と、前記第１の電圧検出部によって検出された前記電圧に基づいて前記第１のスイッチを制御して前記第１のコンデンサを短絡させると共に前記第２の電圧検出部によって検出された前記電圧に基づいて前記第２のスイッチを制御して前記第２のコンデンサを短絡させる制御部とを備えている。
【００１４】
また、請求項４記載の電池特性測定装置は、請求項３記載の電池特性測定装置において、前記測定部は、前記フィルタを通過した信号の前記交流電圧および前記電池を流れる前記交流定電流に基づいて当該電池の実効抵抗を前記電気的パラメータとして測定すると共に、前記第１および第２の電圧検出部のいずれかによって検出された電圧を前記電池の電池電圧として測定する。
【発明の効果】
【００１５】
請求項１記載の電池特性測定装置によれば、電流供給部に対して直流的に接続可能に構成された交流定電流源と、電圧検出部に対して直流的に接続可能に構成されたバッファとを備えたことにより、基準電圧以下の電池を測定するときには、コンデンサの充電時間が必要な従来の電池特性測定装置１０１と比較して、交流定電流が電池に直ちに安定して流れると共に電池の端子間電圧がバッファに直ちに安定して出力されるため、電池の電気的パラメータの測定を迅速に開始することができる。また、バッファから出力される信号の直流成分を除去するフィルタを備えたことにより、高抵抗値の抵抗Ｒ１０１，Ｒ１０２および高いインピーダンスのコンデンサＣ１０１，Ｃ１０２によって構成されて通過する信号に高いレベルの熱雑音を重畳させる従来の電池特性測定装置１０１のフィルタ８，９と比較して、フィルタを構成する抵抗およびコンデンサのインピーダンスを低く規定することができる。このため、フィルタを通過した信号に重畳される熱雑音のレベルを十分に小さくすることができる。したがって、積分時間を短くしたとしても測定値を安定して正確に測定できるため、電池の電気的パラメータを十分に短時間で測定することができる。
【００１６】
また、請求項２記載の電池特性測定装置によれば、電流供給部が第１のコンデンサを介して交流定電流源に接続され、電圧検出部が第２のコンデンサを介してバッファ接続され、第１のスイッチが第１のコンデンサを短絡し、第２のスイッチが第２のコンデンサを短絡することにより、交流定電流源およびバッファが破壊されるおそれのない電圧の電池を測定対象とするときには、第１および第２のスイッチで第１および第２のコンデンサを短絡して、電池の電気的パラメータを十分に短時間で測定することができる。また、交流定電流源およびバッファが破壊されるおそれのある電圧の電池を測定対象とするときには、第１および第２のコンデンサを短絡させずに、従来の電池特性測定装置１０１と同様にして、測定にやや時間を要するものの交流定電流源およびバッファを破壊させることなく電池の電気的パラメータを測定することができる。
【００１７】
また、請求項３記載の電池特性測定装置によれば、制御部が第１の電圧検出部によって検出された電圧に基づいて第１のスイッチを制御して第１のコンデンサを短絡させると共に第２の電圧検出部によって検出された電圧に基づいて第２のスイッチを制御して第２のコンデンサを短絡させることにより、交流定電流源およびバッファを破壊させるおそれのある電圧の出力を自動的に防止するため、オペレータが装置を操作して電池電圧に応じて第１および第２のスイッチを切り換える労力や時間を削減することができると共に、交流定電流源およびバッファの破壊を確実に防止することができる。
【００１８】
また、請求項４記載の電池特性測定装置によれば、測定部が、フィルタを通過した信号の交流電圧および電池を流れる交流定電流に基づいて電池の実効抵抗を電気的パラメータとして測定すると共に、第１および第２の電圧検出部のいずれかによって検出された電圧を電池の電池電圧として測定することにより、第１および第２の電圧検出部のいずれかを電池電圧の測定器に兼用できるため、電池電圧の測定を簡易な構成で行うことができる。
【発明を実施するための最良の形態】
【００１９】
以下、本発明に係る電池特性測定装置の最良の形態について、添付図面を参照して説明する。
【００２０】
最初に、電池特性測定装置１の構成について、図面を参照して説明する。なお、電池特性測定装置１０１の構成要素と同一の機能を有するものについては、同一の符号を付して重複した説明を省略する。
【００２１】
電池特性測定装置１は、図１に示すように、交流定電流源２、電流供給用プローブ（本発明における電流供給部に相当し、以下、プローブともいう）３，４、電圧検出用プローブ（本発明における電圧検出部に相当し、以下、プローブともいう）５，６、Ｉ／Ｖ変換器７、バッファ１０，１１、フィルタ（具体的にはハイパスフィルタ）１２，１３、差動増幅部１４、Ａ／Ｄ変換器１５，１６、電圧検出部１７，１８、制御部１９、表示部２０、コンデンサＣ１〜Ｃ３、抵抗Ｒ１，Ｒ２およびスイッチＳＷ１〜ＳＷ３を備え、測定対象の電池４１（例えばリチウムイオン電池）における端子間の電圧を平衡型の回路構成で入力して、電池４１の実効抵抗（本発明における電気的パラメータの一例）を測定可能に構成されている。コンデンサＣ１は、本発明における第１のコンデンサに相当し、プローブ３および交流定電流源２の間に接続される。交流定電流源２は、周波数が例えば１ｋＨｚの検査用の交流電流Ｉｔをプローブ３，４を介して電池４１に出力する。また、交流定電流源２は、出力インピーダンスが高いため、電池４１を直流的に直接接続したとしても電池４１から放電電流を流れ出させることなく交流電流Ｉｔを出力する。スイッチＳＷ１は、本発明における第１のスイッチに相当し、コンデンサＣ１に並列に接続されると共に、制御部１９から出力される切換信号Ｓｓ１に従って開閉制御される。具体的には、スイッチＳＷ１は、切換信号Ｓｓ１が制御部１９から出力されているときには、閉状態に移行してコンデンサＣ１の両端を短絡することにより、コンデンサＣ１を介在させることなくプローブ３および交流定電流源２を直流的に接続させる。つまり、交流定電流源２は、プローブ３に対して直流的に接続可能に構成されている。一方、スイッチＳＷ１は、切換信号Ｓｓ１が制御部１９から出力されていないときには、開状態に移行することにより、コンデンサＣ１を介在させて、プローブ３および交流定電流源２を直流的に接続させることなく交流的に接続させる。Ｉ／Ｖ変換器７は、演算増幅器２１と、演算増幅器２１の出力端子および反転入力端子を接続する抵抗Ｒ３とを備えて構成されて、プローブ４を介して電池４１を流れる交流電流Ｉｔを入力して、電流／電圧変換することで交流電圧Ｖｉを生成して出力する。この場合、Ｉ／Ｖ変換器７は、交流電流Ｉｔの電流値をＩｔとし、抵抗Ｒ３の抵抗値をＲ３としたときに、Ｉｔ×Ｒ３の電圧値となる交流電圧Ｖｉを生成する。
【００２２】
プローブ５，６、コンデンサＣ２，Ｃ３、抵抗Ｒ１，Ｒ２、スイッチＳＷ２，ＳＷ３、バッファ１０，１１およびフィルタ１２，１３は、図１に示すように、それぞれ対になって平衡型の回路を構成する。コンデンサＣ２は、本発明における第２のコンデンサに相当し、プローブ５およびバッファ１０の間に接続されて、プローブ５を介して入力された電池４１の一方の電極に発生している電圧のうちの直流成分を阻止して検査用交流成分をバッファ１０に通過させる。同様にして、コンデンサＣ３は、本発明における第２のコンデンサに相当し、プローブ６およびバッファ１１の間に接続されて、プローブ６を介して入力された電池４１の他方の電極に発生している電圧のうちの直流成分を阻止して検査用交流成分をバッファ１１に通過させる。抵抗Ｒ１，Ｒ２は、バッファ１０，１１の各入力端子の直流電位を規定するためのバイアス抵抗であって、電池４１とプローブ５，６との間の接触抵抗が測定値に与える影響を無視できるように、この接触抵抗よりも十分に大きな例えば１００ｋΩの高い抵抗値に規定されている。また、コンデンサＣ２および抵抗Ｒ１によってＣＲ型のハイパスフィルタが構成される。この場合、このハイパスフィルタが検査用交流成分を通過させ、かつ電池４１による充電時間が短くなるように、コンデンサＣ２は、例えば、小さい容量値の２．２ｎＦに規定されている。同様にして、コンデンサＣ３も、例えば、小さい容量値の２．２ｎＦに規定されている。
【００２３】
スイッチＳＷ２は、本発明における第２のスイッチに相当し、コンデンサＣ２に並列に接続されると共に、制御部１９から出力される切換信号Ｓｓ２に従って開閉制御される。具体的には、スイッチＳＷ２は、切換信号Ｓｓ２が制御部１９から出力されているときには、閉状態に移行してコンデンサＣ２の両端を短絡することにより、コンデンサＣ２を介在させることなくプローブ５およびバッファ１０を直流的に接続させる。つまり、バッファ１０は、プローブ５に対して直流的に接続可能に構成されている。一方、スイッチＳＷ２は、切換信号Ｓｓ２が制御部１９から出力されていないときには、開状態に移行することにより、コンデンサＣ２を介在させて、プローブ５およびバッファ１０を直流的に接続させることなく交流的に接続させる。同様にして、スイッチＳＷ３は、本発明における第２のスイッチに相当し、コンデンサＣ３に並列に接続されると共に、制御部１９から出力される切換信号Ｓｓ３に従って開閉制御される。具体的には、スイッチＳＷ３は、切換信号Ｓｓ３が制御部１９から出力されているときには、閉状態に移行してコンデンサＣ３の両端を短絡することにより、コンデンサＣ３を介在させることなくプローブ６およびバッファ１１を直流的に接続させる。つまり、バッファ１１は、プローブ６に対して直流的に接続可能に構成されている。一方、スイッチＳＷ３は、切換信号Ｓｓ３が制御部１９から出力されていないときには、開状態に移行することにより、コンデンサＣ３を介在させて、プローブ６およびバッファ１１を直流的に接続させることなく交流的に接続させる。
【００２４】
バッファ１０は、例えばボルテージフォロア接続された演算増幅器で構成されると共に、非反転入力端子がコンデンサＣ２および抵抗Ｒ１に接続されている。バッファ１１も同様にしてボルテージフォロア接続された演算増幅器で構成されると共に、非反転入力端子がコンデンサＣ３および抵抗Ｒ２に接続されている。
【００２５】
フィルタ１２は、一例としてコンデンサＣ４および抵抗Ｒ４を用いてＣＲ型のハイパスフィルタに構成されて、バッファ１０から出力される信号の直流成分を阻止すると共に検査用交流成分を差動増幅部１４に出力する。同様にして、フィルタ１３は、一例としてコンデンサＣ５および抵抗Ｒ５を用いてＣＲ型のハイパスフィルタに構成されて、バッファ１１から出力される信号の直流成分を阻止すると共に検査用交流成分を差動増幅部１４に出力する。この場合、抵抗Ｒ４，Ｒ５は、発生する熱雑音のレベルを低くするために、小さい抵抗値（例えば、抵抗値１ｋΩ）に規定されている。また、抵抗Ｒ４，Ｒ５は、差動増幅部１４の各入力端子の直流電位を規定するためのバイアス抵抗として兼用されている。コンデンサＣ４，Ｃ５は、抵抗Ｒ４，Ｒ５で発生した熱雑音がバッファ１０，１１から出力される信号に高いレベルで重畳されるのを回避するべく大きな容量値に規定されると共に、抵抗Ｒ４，Ｒ５と相俟って検査用交流成分がフィルタ１２，１３を通過可能にその容量値がそれぞれ規定されている。この場合、コンデンサＣ４，Ｃ５は、例えば容量値０．２２μＦに規定されている。
【００２６】
一方、従来の電池特性測定装置１０１のフィルタ８，９やフィルタ１２，１３で信号に重畳される熱雑音（熱雑音電圧密度）は、各フィルタ８，９，１２，１３で重畳される熱雑音電圧密度をＶｎｐとし、各フィルタ８，９，１２，１３を構成する抵抗Ｒ１０１，Ｒ１０２，Ｒ４，Ｒ５の抵抗値をＲとし、各フィルタ８，９，１２，１３を構成するコンデンサＣ１０１，Ｃ１０２，Ｃ５，Ｃ６のインピーダンスをＺｃとしたときに、次の式で表される。
Ｖｎｐ＝０．１３・√（Ｒ）・｜Ｚｃ／（Ｒ＋Ｚｃ）｜
この電池特性測定装置１では、上記したように、フィルタ１２，１３における抵抗Ｒ４，Ｒ５は、その抵抗値が、従来のフィルタ８，９における抵抗Ｒ１０１，Ｒ１０２の抵抗値（抵抗値１００ｋΩ）と比較して十分に小さい値の１ｋΩに規定されている。また、フィルタ１２，１３におけるコンデンサＣ４，Ｃ５は、その容量値が、従来のフィルタ８，９におけるコンデンサＣ１０１，Ｃ１０２の容量値（容量値２．２ｎＦ）と比較して十分に大きい０．２２μＦに規定されている。したがって、フィルタ１２，１３で重畳される熱雑音のレベルは、抵抗Ｒ１，Ｒ２の抵抗値およびコンデンサＣ２，Ｃ３のインピーダンス値が従来の抵抗値およびインピーダンス値に対してそれぞれ１／１００となる結果、従来のフィルタと比較して１／１０のレベルに低減されている。
【００２７】
差動増幅部１４は、フィルタ１２，１３を通過してフィルタ１２，１３の出力端子間に出力された交流電圧を差動増幅して交流電圧Ｖａとして出力する。Ａ／Ｄ変換器１５は、検査用交流成分をサンプリング可能なサンプリング周期で交流電圧Ｖａをサンプリングすると共にＡ／Ｄ変換して電圧データＤｖを出力する。Ａ／Ｄ変換器１６は、例えばＡ／Ｄ変換器１５と同じサンプリング周期で交流電圧Ｖｉをサンプリングすると共にＡ／Ｄ変換して電流データＤｉを出力する。
【００２８】
電圧検出部１７は、本発明における第１の電圧検出部に相当し、プローブ３，４間の電圧を検出して、この検出した電圧を示す電圧データＤｋ１を制御部１９に出力する。電圧検出部１８は、本発明における第２の電圧検出部に相当し、プローブ５，６間の電圧を検出して検出した電圧を示す電圧データＤｋ２を制御部１９に出力する。
【００２９】
制御部１９は、本発明における測定部および制御部に相当し、電圧検出部１７によって検出された電圧データＤｋ１が予め設定された基準電圧（例えば、交流定電流源２およびバッファ１０，１１の許容入力電圧の７０％の電圧）を超えているか否かを判別し、超えていないと判別したときには切換信号Ｓｓ１を出力してスイッチＳＷ１を閉状態に移行させる。また、制御部１９は、電圧検出部１８によって検出された電圧データＤｋ２が予め設定された上記の基準電圧を超えているか否かを判別し、超えていないと判別したときには切換信号Ｓｓ２，Ｓｓ３を出力してスイッチＳＷ２，ＳＷ３を閉状態に移行させる。また、制御部１９は、Ａ／Ｄ変換器１５から出力される電圧データＤｖおよびＡ／Ｄ変換器１６から出力される電流データＤｉに基づいて電池４１の実効抵抗（本発明における電気的パラメータ）を算出する。この実効抵抗の算出に際して制御部１９は、電圧データＤｖに関して、所定の数の電圧データＤｖを加算平均することによって実効抵抗算出用の電圧データを求め、この求めた電圧データと、例えば１周期分を加算平均した電流データＤｉとに基づいて実効抵抗を算出する。この場合、加算平均した電圧データに含まれている熱雑音電圧をＶｎとし、加算平均する前の電圧データＤｖに含まれている熱雑音電圧密度をＶｎｐとし、積分時間、つまり加算平均する複数の電圧データＤｖをサンプリングした期間の総時間をＴａとしたときに、熱雑音電圧は、以下の式で近似される。
Ｖｎ≒Ｖｎｐ・√（１／Ｔａ）
例えば、従来の電池特性測定装置１０１の実効抵抗算出用の電圧データに含まれている熱雑音電圧密度（Ｖｎｐ）を１とし、従来の電池特性測定装置１０１の積分時間（Ｔａ）を１としたときには、上記の式によって熱雑音電圧（Ｖｎ）は１となる。この場合、一例として、上記したように、フィルタ１２，１３で重畳される雑音電圧密度（Ｖｎｐ）は、フィルタ８，９で重畳される雑音電圧密度の１／１０のレベルになっている。したがって、電池特性測定装置１０１と同様の熱雑音電圧（この場合、１）で実効抵抗算出用の電圧データを得るためには、電池特性測定装置１０１の積分時間よりも約１／１００の積分時間で高速に測定を行うことができる。つまり、約１／１００の数の電圧データＤｖで実効抵抗算出用の電圧データを求めることができる。このため、十分に短時間で測定することができる。
【００３０】
また、制御部１９は、電圧データＤｋ１および電圧データＤｋ２が予め設定された基準電圧を超えていると判別したときには、切換信号Ｓｓ１〜Ｓｓ３の出力を停止して各スイッチＳＷ１〜ＳＷ３を開状態に移行させることにより、プローブ３および交流定電流源２の間にコンデンサＣ１を直列接続させると共に、プローブ５，６およびバッファ１０，１１の間にコンデンサＣ２，Ｃ３を直列接続させ、かつ表示部２０に過電圧の警報を表示させる。この場合、コンデンサＣ２，Ｃ３の容量が小さく（インピーダンスが大きく）規定されて、抵抗Ｒ１，Ｒ２の抵抗値は大きな値に規定されている。したがって、制御部１９は、交流電圧Ｖａに重畳される熱雑音のレベルが高くなるため、実効抵抗算出用の電圧データを求める際に加算平均する電圧データＤｖのデータ数を増加させる。すなわち、多くの電圧データＤｖを測定するために、測定時間が長くなる。また、制御部１９は、その算出した実効抵抗を表示部２０に表示させる。
【００３１】
次に、電池特性測定装置１の全体的な動作について、図面を参照して説明する。
【００３２】
最初に、制御部１９が、電池４１にプローブ３〜６を接続させて、電圧検出部１７，１８から出力される電圧データＤｋ１，Ｄｋ２に基づいて、電池４１の電池電圧が予め設定された基準電圧以下か否かを判別する。制御部１９は、基準電圧以下であると判別したときには、切換信号Ｓｓ１〜Ｓｓ３を出力してスイッチＳＷ１〜ＳＷ３を閉状態にする。次いで、交流定電流源２が、スイッチＳＷ１およびプローブ３，４を介して交流電流Ｉｔを電池４１に出力する。この際に、スイッチＳＷ１によってコンデンサＣ１が短絡されているため、コンデンサＣ１が充電されることなく、交流電流Ｉｔは、電池４１に直ちに安定供給される。これに応じて、電池４１の両端間には、電池４１の直流電圧と交流電流Ｉｔに起因する交流電圧とが加算された電圧（端子間電圧Ｖｂ）が発生する。続いて、Ｉ／Ｖ変換器７が、交流電流Ｉｔを電流／電圧変換して交流電圧Ｖｉを出力する。これに応じて、Ａ／Ｄ変換器１６が、交流電圧ＶｉをＡ／Ｄ変換して電流データＤｉを制御部１９に出力する。
【００３３】
一方、バッファ１０は、電池４１の一方の電極の電圧をプローブ５およびスイッチＳＷ２を介して入力して、その入力した電圧を低インピーダンスでフィルタ１２に出力する。同様にして、バッファ１１が、電池４１の他方の電極の電圧をプローブ６およびスイッチＳＷ３を介して入力して、その入力した電圧を低インピーダンスでフィルタ１３に出力する。この場合、スイッチＳＷ２，ＳＷ３によってコンデンサＣ２，Ｃ３の両端が短絡されているため、コンデンサＣ２，Ｃ３が充電されることなく、電池４１の端子間電圧Ｖｂは、バッファ１０，１１に直ちに入力される。また、抵抗Ｒ１，Ｒ２の抵抗値が十分に小さいため、この端子間電圧Ｖｂに重畳される抵抗Ｒ１，Ｒ２の熱雑音電圧は十分に小さく抑えられる。
【００３４】
次いで、フィルタ１２が、バッファ１０から出力された電圧の直流成分を除去しつつ検査用交流成分のみを差動増幅部１４に通過させる。同様にして、フィルタ１３が、バッファ１１から出力された電圧の直流成分を除去しつつ検査用交流成分のみを差動増幅部１４に通過させる。続いて、差動増幅部１４が、フィルタ１２，１３からそれぞれ出力された交流電圧を差動増幅して、交流電圧ＶａをＡ／Ｄ変換器１５に出力する。次いで、Ａ／Ｄ変換器１５が、交流電圧ＶａをＡ／Ｄ変換した電圧データＤｖを制御部１９に出力する。続いて、制御部１９が、電圧データＤｖおよび電流データＤｉに基づいて、実効抵抗を算出する。この場合、制御部１９は、スイッチＳＷ２，ＳＷ３を閉じさせているため、少ないデータ数の電圧データＤｖを加算平均して実効抵抗算出用の電圧データを算出する。次いで、制御部１９は、算出した電池４１の実効抵抗を表示部２０に表示させる。また、制御部１９は、電圧検出部１８から出力された電圧データＤｋ１によって示される電池４１の電池電圧を検出して、その検出した電池電圧を表示部２０に表示させる。以上で、電池４１に対する実効抵抗の測定が終了する。
【００３５】
一方、高い電圧の電池４２にプローブ３〜６を接続させたときには、制御部１９は、電圧検出部１７，１８から出力される電圧データＤｋ１，Ｄｋ２に基づいて、電池４１の電池電圧が予め設定された基準電圧を超えたと判別する。この際には、制御部１９は、切換信号Ｓｓ１〜Ｓｓ３の出力を停止して各スイッチＳＷ１〜ＳＷ３を開状態に移行させることにより、プローブ３および交流定電流源２の間にコンデンサＣ１を直列接続させると共にプローブ５，６およびバッファ１０，１１の間にコンデンサＣ２，Ｃ３をそれぞれ直列接続させ、かつ表示部２０に過電圧の警報を表示させる。この状態では、コンデンサＣ１は、電池４２の直流電圧の交流定電圧源１０２に対する直接的な出力を阻止する。また、コンデンサＣ２は、電池４２の一方の電極における直流電圧のバッファ１０に対する直接的な出力を阻止する。同様にして、コンデンサＣ３が、電池４２の他方の電極における直流電圧のバッファ１１に対する直接的な出力を阻止する。続いて、コンデンサＣ１〜Ｃ３が電池４２の直流電位まで充電される充電時間が経過した後に、制御部１９が、電圧データＤｖおよび電流データＤｉの測定を開始する。この場合、コンデンサＣ２，Ｃ３および抵抗Ｒ１，Ｒ２は、従来の電池特性測定装置１０１のハイパスフィルタ８，９と同様にして、通過させる交流電圧に高いレベルの熱雑音を重畳させる。このため、制御部１９は、実効抵抗算出用の電圧データを求める際に加算平均する電圧データＤｖのデータ数を増加させる。
【００３６】
このように、この電池特性測定装置１によれば、プローブ３に直流的に接続される交流定電流源２と、プローブ５，６に直流的に接続されるバッファ１０，１１とを備えたことにより、基準電圧以下の電池４１を測定するときには、コンデンサＣ１〜Ｃ３の充電時間が必要な従来の電池特性測定装置１０１と比較して、検査用の交流電流Ｉｔが電池４１に直ちに安定して流れると共に電池４１の端子間電圧Ｖｂがバッファ１０，１１に直ちに安定して出力されるため、電池４１の実効抵抗の測定を迅速に開始することができる。さらに、この電池特性測定装置１によれば、バッファ１０，１１から出力される信号の直流成分を除去するフィルタ１２，１３を備えたことにより、高抵抗値の抵抗Ｒ１０１，Ｒ１０２および高いインピーダンスのコンデンサＣ１０１，Ｃ１０２によって構成されて通過する信号に高いレベルの熱雑音を重畳させる従来のフィルタ８，９と比較して、フィルタ１２，１３を構成する抵抗Ｒ４，Ｒ５およびコンデンサＣ４，Ｃ５のインピーダンスを低く規定することができる。このため、フィルタ１２，１３を通過した信号に重畳される熱雑音のレベルを十分に小さくすることができる。したがって、積分時間を短くしたとしても測定値を安定して正確に測定できるため、電池４１の実効抵抗を十分に短時間で測定することができる。
【００３７】
また、この電池特性測定装置１では、プローブ３がコンデンサＣ１を介して交流定電流源２に接続され、プローブ５，６がコンデンサＣ２，Ｃ３を介してバッファ１０，１１に接続され、閉状態において各コンデンサＣ１〜Ｃ３の両端をそれぞれ短絡するスイッチＳＷ１〜ＳＷ３がこの各コンデンサＣ１〜Ｃ３に並列に接続されている。したがって、この電池特性測定装置１によれば、交流定電流源２およびバッファ１０，１１が破壊されるおそれのない基準電圧以下の電池４１を測定対象とするときには、スイッチＳＷ１〜ＳＷ３を閉状態にして、電池４１の実効抵抗を十分に短時間で測定することができる。また、交流定電流源２およびバッファ１０，１１が破壊されるおそれのある基準電圧を超える電池４２を測定対象とするときには、スイッチＳＷ１〜ＳＷ３を開状態にして、従来の電池特性測定装置１０１と同様にして、測定にやや時間を要するものの交流定電流源２およびバッファ１０，１１を破壊させることなく実効抵抗を測定することができる。
【００３８】
また、この電池特性測定装置１では、電圧検出部１７，１８によって検出された電圧に基づいてスイッチＳＷ１〜ＳＷ３を閉状態に制御して各コンデンサＣ１〜Ｃ３の両端をそれぞれ短絡させる。したがって、この電池特性測定装置１によれば、交流定電流源２およびバッファ１０，１１を破壊させるおそれのある基準電圧を超える電圧の出力を自動的に防止するため、オペレータが装置を操作して電池電圧に応じてスイッチＳＷ１〜ＳＷ３を切り換える労力や時間を削減することができると共に、交流定電流源２およびバッファ１０，１１の破壊を確実に防止することができる。
【００３９】
また、この電池特性測定装置１によれば、電圧検出部１７によって検出された電圧データＤｋ１および電圧検出部１８によって検出された電圧データＤｋ２のいずれかを電池４１の電池電圧の測定値とすることにより、電圧検出部１７または電圧検出部１８を電池電圧の測定器に兼用できるため、電池電圧の測定を簡易な構成で行うことができる。
【００４０】
次に、図２を参照して、電池特性測定装置１Ａについて説明する。なお、電池特性測定装置１０１および電池特性測定装置１の構成要素と同一の機能を有するものについては、同一の符号を付して重複した説明を省略する。
【００４１】
最初に、電池特性測定装置１Ａの構成について、図面を参照して説明する。
【００４２】
電池特性測定装置１Ａは、図２に示すように、交流定電流源２、プローブ３〜６、電圧検出部１７，１８、表示部２０、フィルタ２５、増幅回路２６、ロックインアンプ２７、Ａ／Ｄ変換器２８、制御部２９、コンデンサＣ１，Ｃ２、抵抗Ｒ１およびスイッチＳＷ１，ＳＷ２を備え、測定対象の電池４１における端子間の電圧を不平衡型の回路構成で入力して、電池４１の実効抵抗を測定可能に構成されている。
【００４３】
フィルタ（具体的にはハイパスフィルタ）２５は、本発明におけるバッファおよびフィルタを構成し、バッファ、ハイパスフィルタおよび増幅器の機能を兼用して、スイッチＳＷ２またはコンデンサＣ２を介して入力した電圧から直流成分を除去しつつ検査用交流成分を増幅して増幅回路２６に出力する。また、フィルタ２５は、一例として、演算増幅器３１，コンデンサＣ６および抵抗Ｒ６，Ｒ７を備えた非反転増幅回路で構成されている。演算増幅器３１には、そのハイインピーダンスの非反転入力端子にスイッチＳＷ２、コンデンサＣ２および抵抗Ｒ１が接続されている。また、演算増幅器３１の出力端子および反転入力端子間には、抵抗Ｒ６が接続されると共に、反転入力端子およびグランドＧＮＤ間には、直列接続された抵抗Ｒ７およびコンデンサＣ６が接続されている。抵抗Ｒ６は、抵抗Ｒ７よりも高い抵抗値（例えば、抵抗値１００ｋΩ）に規定されて、抵抗Ｒ７と共にフィルタ２５のゲインを規定する。抵抗Ｒ７は、差動増幅器３１から出力される信号に重畳される熱雑音のレベルを低くするために、小さい抵抗値（例えば、抵抗値１ｋΩ）に規定されている。この場合、抵抗Ｒ６および抵抗Ｒ７で発生する熱雑音のレベルは、抵抗Ｒ６および抵抗Ｒ７が並列接続されているときの等価抵抗で発生する熱雑音のレベルと等しくなる。したがって、抵抗Ｒ７が小さい抵抗値のため、等価抵抗も小さい抵抗値（この場合、約１ｋΩ）となって、出力する信号に重畳される熱雑音のレベルも十分に低くなる。
【００４４】
増幅回路２６は、ハイパスフィルタの機能を有する増幅器であって、フィルタ２５によって出力された信号から検査用交流成分を増幅しつつ通過させてロックインアンプ２７に出力する。具体的には、増幅回路２６は、一例として、演算増幅器３２，コンデンサＣ７および抵抗Ｒ８，Ｒ９を備えた反転増幅回路で構成されている。演算増幅器３２の出力端子および反転入力端子間には、抵抗Ｒ９が接続されると共に、非反転入力端子には、直列に接続された抵抗Ｒ８およびコンデンサＣ７が接続されている。抵抗Ｒ９は、抵抗Ｒ８よりも高い抵抗値（例えば、抵抗値１００ｋΩ）に規定されて、抵抗Ｒ８と共に増幅回路２６のゲインを規定する。抵抗Ｒ８は、演算増幅器３２から出力される信号に重畳される熱雑音のレベルを低くするために、小さい抵抗値（例えば、抵抗値１ｋΩ）に規定されている。この場合、抵抗Ｒ８および抵抗Ｒ９で発生する熱雑音のレベルは、抵抗Ｒ８および抵抗Ｒ９が並列接続しているときの等価抵抗で発生する熱雑音のレベルと等しくなる。したがって、抵抗Ｒ８が小さい抵抗値のため、等価抵抗も小さい抵抗値（この場合、約１ｋΩ）になって、出力する信号に重畳される熱雑音のレベルも十分に低くなる。
【００４５】
ロックインアンプ２７は、増幅回路２６から出力された信号と、交流定電流源２から出力された交流電流Ｉｔと等しい定電流の参照信号Ｉｓの電流値とに基づいて実効抵抗を示す電圧ＶｒをＡ／Ｄ変換器２８に出力する。Ａ／Ｄ変換器２８は、電圧Ｖｒを所定のサンプリング周期でサンプリングすると共にＡ／Ｄ変換して電圧Ｖｒを示す実効抵抗データＤｒを制御部２９に出力する。
【００４６】
制御部２９は、Ａ／Ｄ変換器２８から出力された実効抵抗データＤｒに基づいて実効抵抗を算出すると共に、その測定した実効抵抗を表示部２０に表示させる。この実効抵抗の算出に際して、制御部２９は、スイッチＳＷ１，ＳＷ２が閉状態のときに、所定の数の実効抵抗データＤｒを加算平均することによって実効抵抗を算出する。また、スイッチＳＷ１，ＳＷ２が開状態のときには、電圧Ｖｒに含まれている熱雑音のレベルが高いため、制御部２９は、実効抵抗を求める際に加算平均する実効抵抗データＤｒのデータ数を増加させる（積分時間を長くする）。
【００４７】
次に、電池特性測定装置１Ａの全体的な動作について、図面を参照して説明する。なお、電池特性測定装置１の動作と同様の動作については説明を省略する。
【００４８】
制御部２９は、電池４１の電池電圧が基準電圧以下であると判別したときには、切換信号Ｓｓ１，Ｓｓ２を出力してスイッチＳＷ１，ＳＷ２を閉状態に移行する。次いで、交流定電流源２が、スイッチＳＷ１およびプローブ３，４を介して交流電流Ｉｔを電池４１に出力する。同時に、交流定電流源２は、参照信号Ｉｓをロックインアンプ２７に出力する。
【００４９】
また、電池４１の電極間に発生している端子間電圧Ｖｂは、プローブ５およびスイッチＳＷ２を介してフィルタ２５に入力される。この場合、閉状態のスイッチＳＷ２によってコンデンサＣ２が短絡されているため、端子間電圧Ｖｂは、フィルタ２５に直ちに入力される。この場合、フィルタ２５に入力される端子間電圧Ｖｂに重畳される熱雑音のレベルは極めて僅かに抑えられている。続いて、フィルタ２５は、入力した端子間電圧Ｖｂの直流成分を除去しつつ検査用交流成分を増幅して増幅回路２６に出力する。この場合にも、フィルタ２５から出力される信号に重畳される熱雑音のレベルは極めて僅かに抑えられている。次いで、増幅回路２６が、フィルタ２５から入力した信号から検査用交流成分を増幅してロックインアンプ２７に出力する。この場合、増幅回路２６から出力される信号に重畳される熱雑音は低レベルに抑えられている。次いで、ロックインアンプ２７が、実効抵抗を示す電圧ＶｒをＡ／Ｄ変換器２８に出力する。続いて、Ａ／Ｄ変換器２８は、電圧ＶｒをＡ／Ｄ変換して実効抵抗データＤｒを制御部２９に出力する。次いで、制御部２９が、所定のデータ数の実効抵抗データＤｒを加算平均して、実効抵抗を算出する。以上により、電池４１の測定が終了する。
【００５０】
一方、制御部２９は、電池４１の電池電圧が基準電圧以下を超えていると判別したときには、電池特性測定装置１の動作と同様にして、切換信号Ｓｓ１，Ｓｓ２の出力を停止してスイッチＳＷ１，ＳＷ２を開状態に移行させることにより、プローブ３および交流定電流源２の間にコンデンサＣ１を直列接続させる共にプローブ５およびフィルタ２５の間にコンデンサＣ２を直列接続させ、かつ表示部２０に過電圧の警報を表示させる。したがって、従来の電池特性測定装置１０１と同様にして、測定開始までの時間および測定時間が長くなるものの、交流定電流源２およびフィルタ２５を破壊させることなく、制御部２９によって電池４２の実効抵抗および電池電圧が測定される。
【００５１】
この電池特性測定装置１Ａによれば、プローブ３に直流的に接続される交流定電流源２と、プローブ５に直流的に接続されるフィルタ２５とを備えたことにより、所定の基準電圧以下の電池４１を測定するときには、コンデンサの充電時間が必要な従来の電池特性測定装置１０１と比較して、検査用の交流電流Ｉｔを電池４１に直ちに安定して出力することができると共に電池の端子間電圧Ｖｂをフィルタ２５に直ちに安定して入力させることができるため、電池４１の実効抵抗の測定を迅速に開始することができる。また、この電池特性測定装置１Ａによれば、フィルタ２５を備えたことにより、高いインピーダンスの抵抗Ｒ１０１およびコンデンサＣ１０１を備えて構成されて通過信号に高いレベルの熱雑音を重畳させる従来のフィルタ８と比較して、フィルタ２５を構成する抵抗Ｒ６，Ｒ７およびコンデンサＣ６、並びに増幅回路２６を構成する抵抗Ｒ８，Ｒ９およびコンデンサＣ７のインピーダンスをそれぞれ低く規定できるため、フィルタ２５、増幅回路２６を通過する信号に重畳される熱雑音のレベルを十分に低く抑えることができる。したがって、積分時間を短くしたとしても測定値を安定して正確に測定できるため、電池４２の実効抵抗を十分に短時間で測定することができる。
【００５２】
また、電池特性測定装置１Ａでは、プローブ３がコンデンサＣ１を介して交流定電流源２に接続され、プローブ５がコンデンサＣ２を介してフィルタ２５に接続され、閉状態において各コンデンサＣ１，Ｃ２の両端をそれぞれ短絡するスイッチＳＷ１，ＳＷ２がこの各コンデンサＣ１，Ｃ２に並列に接続されている。したがって、この電池特性測定装置１Ａによれば、交流定電流源２およびフィルタ２５が破壊されるおそれのない基準電圧以下の電池４１が接続されたときには、スイッチＳＷ１，ＳＷ２を閉状態に移行して、電池４１の実効抵抗を十分に短時間で測定することができる。また、交流定電流源２およびフィルタ２５が破壊されるおそれのある基準電圧を超える電池４２が接続されたときには、スイッチＳＷ１，ＳＷ２を開状態にして、従来の電池特性測定装置１０１と同様にして、測定に時間を要するものの交流定電流源２およびフィルタ２５を破壊させることなく実効抵抗を測定することができる。
【００５３】
なお、本発明は、上記した電池特性測定装置１，１Ａの構成に限定されない。例えば、制御部１９，２９が実効抵抗を算出する際に用いるデータ数を変更して積分時間を変更する構成を採用したが、この構成に代えて、サンプリングする際の積分時間をＡ／Ｄ変換器自体に変更させる構成を採用することができる。また、表示部２０に警告を表示する構成を採用したが、この構成と共にまたはこの構成に代えて、警告音を出力させる構成を採用することができる。また、本発明におけるフィルタとして、ハイパスフィルタを採用したが、バンドパスフィルタを採用することもできる。また、実効抵抗を測定する構成について説明したが、インピーダンス（本発明における電気的パラメータの他の一例）を測定する構成を採用することもできる。また、スイッチＳＷ１を切り換える基準となる基準電圧と、スイッチＳＷ２（およびＳＷ３）を切り換える基準となる基準電圧とを、別個異なる電圧に設定することができる。
【図面の簡単な説明】
【００５４】
【図１】電池特性測定装置１の構成を示す構成図である。
【図２】電池特性測定装置１Ａの構成を示す構成図である。
【図３】電池特性測定装置１０１の構成を示す構成図である。
【符号の説明】
【００５５】
１，１Ａ  電池特性測定装置
２  交流定電流源
３，４  電流供給用プローブ
５，６  電圧検出用プローブ
１０，１１  バッファ
１２，１３，２５  フィルタ
１７，１８  電圧検出部
１９，２９  制御部
Ｃ１〜Ｃ３  コンデンサ
ＳＷ１〜ＳＷ３  スイッチ
【図１】
2006071306.tif 000003
【図２】
2006071306.tif 000004
【図３】
2006071306.tif 000005